【手続補正書】
【提出日】平成19年9月10日(2007.9.10)
【手続補正１】
【補正対象書類名】特許請求の範囲
【補正対象項目名】全文
【補正方法】変更
【補正の内容】
【特許請求の範囲】
【請求項１】
ネットワークと、
前記ネットワークに接続され、複数の表示装置のそれぞれ対応する表示装置に映像データを出力する複数の描画ユニットと、
前記ネットワークに接続され、前記複数の描画ユニットに対し映像データを配信する機能を有するとともに前記複数の描画ユニットが前記対応する表示装置に同期化された映像データを出力するためのタイミング情報を前記複数の描画ユニットに対して一斉同報通信により配信する機能を有する映像配信サーバと、
を有することを特徴とするマルチ画面映像再生システム。
【請求項２】
請求項１に記載のマルチ画面映像再生システムにおいて、
前記映像配信サーバは、前記複数の描画ユニットに配信すべき映像データを生成する映像データ生成部と、前記タイミング情報を生成するタイミング情報生成部と、前記映像データ生成部で生成された映像データまたは前記タイミング情報生成部で生成されたタイミング情報を前記複数の描画ユニットに配信する送信部とを有し、
前記描画ユニットは、前記送信部により配信された映像データまたはタイミング情報を受信する受信部と、前記受信部で受信された映像データが展開されるフレームバッファと、前記受信部で受信されたタイミング情報に基づいて前記フレームバッファの制御を行う出力制御部と、前記フレームバッファに展開された映像データを前記対応する表示装置に出力する出力部とを有することを特徴とするマルチ画面映像再生システム。
【請求項３】
請求項１または２記載のマルチ画面映像再生システムにおいて、前記映像配信サーバは、前記複数の描画ユニットに対し同じ映像データを一斉同報通信によって配信することを特徴とするマルチ画面映像再生システム。
【請求項４】
請求項１または２記載のマルチ画面映像再生システムにおいて、前記映像配信サーバは、前記複数の描画ユニットに対し、前記複数の描画ユニットに対応した映像データを個々の描画ユニット宛に個別に配信することを特徴とするマルチ画面映像再生システム。
【請求項５】
請求項１から４のいずれかに記載のマルチ画面映像再生システムにおいて、前記映像配信サーバは、前記タイミング情報を映像データのフレーム更新周期で前記複数の描画ユニットに配信することを特徴とするマルチ画面映像再生システム。
【請求項６】
請求項１から４のいずれかに記載のマルチ画面映像再生システムにおいて、前記映像配信サーバは、前記タイミング情報を映像データ中のすべてのフレームの表示タイミングごとに前記複数の描画ユニットに配信することを特徴とするマルチ画面映像再生システム。
【請求項７】
請求項１から４のいずれかに記載のマルチ画面映像再生システムにおいて、前記映像配信サーバは、前記タイミング情報を映像データ中の一部のフレームの表示タイミングごとに前記複数の描画ユニットに配信することを特徴とするマルチ画面映像再生システム。
【請求項８】
請求項２に記載のマルチ画面映像再生システムにおいて、
前記フレームバッファは、映像データの複数のフレームを記憶可能な領域を有するフレームバッファからなることを特徴とするマルチ画面映像再生システム。
【請求項９】
請求項８に記載のマルチ画面映像再生システムにおいて、
前記映像データの複数のフレームを記憶可能な領域を有するフレームバッファは、ダブルバッファリングを構成する互いに相補の関係にある２つのフレームバッファで構成されることを特徴とするマルチ画面映像再生システム。
【請求項１０】
請求項１から９のいずれかに記載のマルチ画面映像再生システムにおいて、前記複数の描画ユニットのうちのある描画ユニットが前記映像配信サーバの機能を有することを特徴とするマルチ画面映像再生システム。
【請求項１１】
ネットワークインタフェースを有し、前記ネットワークインタフェースを介して取得した映像データを複数の表示装置のそれぞれ対応する表示装置に出力する機能を有する複数の描画ユニットと、
ネットワークインタフェースを有し、映像データを前記ネットワークインタフェースを介して前記複数の描画ユニットに配信する機能を有するとともに前記複数の描画ユニットが前記対応する表示装置に同期化された映像データを出力するためのタイミング情報を前記ネットワークインタフェースを介して前記複数の描画ユニットに一斉同報通信により配信する機能を有する映像配信サーバと、
を有することを特徴とするマルチ画面映像再生システム。
【請求項１２】
ネットワークと、
前記ネットワークに接続され、複数の表示装置のそれぞれ対応する表示装置に映像データを出力する複数の描画ユニットと、
前記ネットワークに接続され、前記複数の描画ユニットに対し映像データを配信する映像配信サーバと、
前記ネットワークに接続され、前記複数の描画ユニットが前記対応する表示装置に同期化された映像データを出力するためのタイミング情報を前記複数の描画ユニットに対して 
一斉同報通信により配信する機能を有するタイミングサーバと、
を有したことを特徴とするマルチ画面映像再生システム。
【請求項１３】
請求項１２に記載のマルチ画面映像再生システムにおいて、
前記タイミングサーバは、前記タイミング情報を生成するタイミング情報生成部と、前記映像配信サーバに対する映像配信制御情報を生成する映像配信制御情報生成部と、これらタイミング情報または映像配信制御情報を出力する送信部とを有し、
前記映像配信サーバは、前記タイミングサーバの映像配信制御情報生成部によって生成された映像配信制御情報に基づいて前記複数の描画ユニットへの映像配信を制御する映像配信制御部と、この映像配信制御部の制御により、前記複数の描画ユニットに配信すべき映像データを生成する映像データ生成部と、前記映像データ生成部で生成された映像データを前記複数の描画ユニットに対して配信する送信部とを有し、
前記描画ユニットは、前記送信部から配信された映像データまたはタイミング情報を受信する受信部と、この受信部で受信された映像データが展開されるフレームバッファと、前記受信部で受信されたタイミング情報に基づいて前記フレームバッファの制御を行う出力制御部と、前記フレームバッファに展開されている映像データを前記対応する表示装置に出力する出力部とを有することを特徴とするマルチ画面映像再生システム。
【請求項１４】
請求項１２または１３に記載のマルチ画面映像再生システムにおいて、前記複数の描画ユニットのうちのある描画ユニットが前記映像配信サーバとタイミングサーバのいずれかまたは両方の機能を有することを特徴とするマルチ画面映像再生システム。
【請求項１５】
ネットワークインタフェースを有し、前記ネットワークインタフェースを介して取得した映像データを複数の表示装置のそれぞれ対応する表示装置に出力する機能を有する複数の描画ユニットと、
ネットワークインタフェースを有し、映像データを前記ネットワークインタフェースを介して前記複数の描画ユニットに配信する機能を有する映像配信サーバと、
ネットワークインタフェースを有し、前記複数の描画ユニットが前記対応する表示装置に同期化された映像データを出力するためのタイミング情報を前記ネットワークインタフェースを介して前記複数の描画ユニットに対して一斉同報通信により配信する機能を有するタイミングサーバと、
を有することを特徴とするマルチ画面映像再生システム。
【請求項１６】
複数の表示装置のそれぞれ対応する表示装置に映像データを出力する複数の描画ユニットと、前記複数の描画ユニットに対し映像データを配信する機能を有するとともに前記複数の描画ユニットが前記対応する表示装置に同期化された映像データを出力するためのタイミング情報を前記複数の描画ユニットに対して一斉同報通信により配信する機能を有する映像配信サーバとを備え、前記複数の表示装置のそれぞれに同期化された映像データを 
出力するためのマルチ画面映像再生システムにおける映像再生方法であって、
前記映像配信サーバは、前記複数の描画ユニットに対し映像データを配信するステップと、前記映像データの配信後の所定のタイミングで前記タイミング情報を前記複数の描画ユニットに対して一斉同報通信により配信するステップとを有し、
前記複数の描画ユニットは、前記映像配信サーバから配信された映像データを受信したのち、前記映像配信サーバから配信されたタイミング情報を受信すると、前記受信した映像データを前記タイミング情報に基づいて前記対応する表示装置に出力するステップを有することを特徴とするマルチ画面映像再生システムにおける映像再生方法。
【請求項１７】
複数の表示装置のそれぞれ対応する表示装置に映像データを出力する複数の描画ユニットと、前記複数の描画ユニットに対し映像データを配信する機能を有する映像配信サーバと、前記複数の描画ユニットが前記対応する表示装置に同期化された映像データを出力するためのタイミング情報を前記複数の描画ユニットに対して一斉同報通信により配信する機能を有するタイミングサーバとを備え、前記複数の表示装置のそれぞれに同期化された映像データを出力するためのマルチ画面映像再生システムにおける映像再生方法であって、
前記映像配信サーバは、前記複数の描画ユニットに対し映像データを配信するステップを有し、
前記タイミングサーバは、前記映像配信サーバによる映像データ配信後の所定のタイミングで前記タイミング情報を前記複数の描画ユニットに対して一斉同報通信により配信するステップを有し、
前記複数の描画ユニットは、前記映像配信サーバから配信された映像データを受信したのち、前記タイミングサーバから配信されたタイミング情報を受信すると、前記受信した映像データを前記タイミング情報に基づいて前記対応する表示装置に出力するステップを有することを特徴とするマルチ画面映像再生システムにおける映像再生方法。
【請求項１８】
映像配信サーバから配信される映像データを、前記映像配信サーバから配信されるタイミング情報に基づいて、表示部に出力する機能を有する描画ユニットを備えたことを特徴とする表示装置。
【請求項１９】
映像配信サーバから配信される映像データを、タイミングサーバから配信されるタイミング情報に基づいて、表示部に出力する機能を有する描画ユニットを備えたことを特徴とする表示装置。